(57)【要約】【課題】ＩＣカードを利用し伝言を通知することが可能な伝言配信システムを提供すること。【解決手段】ＩＤコードと伝言情報とを対応付けて記憶する記憶手段（３）と、読取手段によりＩＣカードから読み取られたＩＤコードに基づき、このＩＤコードに対応付けられた伝言情報の有無を判断する判断手段と、前記判断手段による判断結果に基づき、伝言情報の有無に関係する呼びかけ情報及び伝言情報の内容のうちの少なくとも一方を出力する伝言出力手段（１、２）とを備えている。【選択図】    図１
2004364032.tif 000002
【特許請求の範囲】
【請求項１】
ＩＤコードと伝言情報とを対応付けて記憶する記憶手段と、読取手段によりＩＣカードから読み取られたＩＤコードに基づき、このＩＤコードに対応付けて記憶された伝言情報の有無を判断する判断手段と、
前記判断手段による判断結果に基づき、伝言情報の有無に関係する呼びかけ情報及び伝言情報の内容のうちの少なくとも一方を出力する伝言出力手段と、
を備えたことを特徴とする伝言配信システム。
【請求項２】
個人情報及び伝言情報を受信する受信手段と、
予め個人情報及びＩＤコードを対応付けて記憶するとともに、前記受信手段により受信された個人情報に基づきＩＤコードを特定し、特定されたＩＤコードと前記受信手段により受信された伝言情報とを対応付けて記憶する記憶手段と、
読取手段によりＩＣカードから読み取られたＩＤコードに基づき、このＩＤコードに対応付けられた伝言情報の有無を判断する判断手段と、
前記判断手段による判断結果に基づき、伝言情報の有無に関係する呼びかけ情報及び伝言情報の内容のうちの少なくとも一方を出力する伝言出力手段と、
を備えたことを特徴とする伝言配信システム。
【請求項３】
個人情報の入力に対応して、入力された個人情報とＩＤコードとを対応付けて登録するとともに、このＩＤコードを記憶し乗車券媒体として利用可能なＩＣカードを発行する発行手段と、
外部端末から送信される個人情報及び伝言情報を受信する受信手段と、
前記受信手段により受信された個人情報に基づき、前記登録されたＩＤコードを特定し、特定されたＩＤコードと前記受信手段により受信された伝言情報とを対応付けて記憶する記憶手段と、
前記ＩＣカードの利用時に読取手段によりＩＣカードから読み取られたＩＤコードに基づき、このＩＤコードに対応付けられた伝言情報の有無を判断する判断手段と、
前記判断手段による判断結果に基づき、伝言情報の有無に関係する呼びかけ情報及び伝言情報の内容うちの少なくとも一方を出力する伝言出力手段と、
を備えたことを特徴とする伝言配信システム。
【請求項４】
個人情報及び伝言情報を受信する受信手段と、
予め個人情報及びＩＤコードを対応付けて記憶するとともに、前記受信手段により受信された個人情報に基づきＩＤコードを特定し、特定されたＩＤコードと前記受信手段により受信された伝言情報とを対応付けて記憶する記憶手段と、
前記記憶手段に伝言情報と対応付けて記憶されたＩＤコードを端末機器に送信する送信手段と、
を備えたことを特徴とする伝言送信装置。
【請求項５】
前記送信手段は、必要に応じて、前記ＩＤコードに対応付けられた伝言情報を前記端末機器に送信することを特徴とする請求項４に記載の伝言送信装置。
【請求項６】
伝言情報に対応付けられたＩＤコードを受信する受信手段と、
前記受信手段により受信されたＩＤコードを記憶する記憶手段と、
読取手段によりＩＣカードから読み取られたＩＤコードに基づき、このＩＤコードに対応付けられた伝言情報の有無を判断する判断手段と、
前記判断手段による判断結果に基づき、伝言情報の有無に関係する呼びかけ情報及び伝言情報の内容のうちの少なくとも一方を出力する伝言出力手段と、
を備えたことを特徴とする伝言受信装置。
【発明の詳細な説明】
【０００１】
【発明の属する技術分野】
この発明は、ＩＣカード等を利用した伝言配信サービスに関する。
【０００２】
【従来の技術】
近年、インターネットの普及に伴い、インターネットを介して物品を購入し、購入した物品を駅で受け取れるサービスが提供されている。物品の所在情報などは、事業者のホームページや事業者からのメール等で確認することができる。このようなサービスは、ｈｔｔｐ：／／ｗｗｗ．ｅｋｉ−ｎｅｔ．ｃｏｍ／ａｔ−ｓｔａｔｉｏｎ／  上で公開されている。
【０００３】
また、携帯電話等の普及により、簡単に伝言をやり取りすることができるようになっている。
【０００４】
【発明が解決しようとする課題】
上記したように、駅で購入した物品を受け取れるサービスが普及し始めているが、購入した物品を取り忘れている者に対するケアが不十分であり、この点の改善が望まれている。
【０００５】
また、携帯電話等は大多数の人に普及しているものの、携帯電話を所持していない者や携帯電話を携帯し忘れた者に対しては、連絡を取る手段がない。例えば、駅には伝言版が設置されている場合があるが、駅の伝言版は認知度は低く、伝言版に伝言を書き込んでも、書き込まれた伝言が相手に伝わり難いという問題があった。
【０００６】
この発明の目的は、上記したような事情に鑑み成されたものであって、ＩＣカードを利用し伝言を通知することが可能な伝言配信システムを提供することにある。
【０００７】
【課題を解決するための手段】
上記課題を解決し目的を達成するために、この発明の伝言配信システムは、以下のように構成されている。
【０００８】
この発明の伝言配信システムは、ＩＤコードと伝言情報とを対応付けて記憶する記憶手段と、読取手段によりＩＣカードから読み取られたＩＤコードに基づき、このＩＤコードに対応付けられた伝言情報の有無を判断する判断手段と、前記判断手段による判断結果に基づき、伝言情報の有無に関係する呼びかけ情報及び伝言情報の内容のうちの少なくとも一方を出力する伝言出力手段とを備えている。
【０００９】
【発明の実施の形態】
この発明の実施の形態について図面を参照して説明する。
【００１０】
図１は、この発明の伝言配信システムの概念を示す図である。図１に示すように、例えば、伝言配信システムは、複数の端末機器（端末機器１及び端末機器２）及びサーバ３により構成される。
【００１１】
以下、自動改札システムに対して、この発明の伝言配信システムを適用した場合について説明する。つまり、端末機器１は、例えば乗車券媒体としてのＩＣカードを発行するＩＣカード発行装置に該当し、端末機器２は、例えば自動改札装置に該当する。
【００１２】
図２は端末機器１の一例であるＩＣカード発行装置の外観を示す斜視図であり、図３はＩＣカード発行装置の概略構成を示すブロック図である。図２に示すように、ＩＣカード発行装置１は、表示部１０２、紙幣取り扱い口１０３、カード取り扱い口１０４、硬貨投入口１０５、硬貨排出口１０７、及び受け皿１０８を備えている。
【００１３】
表示部１０２は、図３に示すＬＣＤ表示部１２１及びタッチパネル部１２２で構成されており、各種処理に応じた画面が表示され、この画面の所定位置に対するタッチ操作に対応して各種情報入力が可能となっている。また、この表示部１０２は、伝言出力手段の一つであり、ＩＣカード４の利用に応じて、伝言情報の有無に関係する呼びかけ情報及び伝言情報の内容のうちの少なくとも一方を表示する。伝言情報の扱いについては、後に詳しく説明する。紙幣取り扱い口１０３は、顧客により挿入される紙幣を受け取ったり、顧客に対してつり銭としての紙幣を返却したりする。カード発行口１０４は、顧客に対して発行したＩＣカードを提供したり、顧客から投入されるＩＣカードを受け取ったりする。硬貨投入口１０５は、顧客により投入される硬貨を受け入れる。硬貨排出口１０７は、顧客に対してつり銭としての硬貨を返却する。受け皿１０８は、硬貨排出口１０７から返却されるつり銭としての硬貨を受け止める。
【００１４】
図３に示すように、ＩＣカード発行装置１は、主制御部１００を備えており、この主制御部１００によりＩＣカードに対する全般の処理が制御される。主制御部１００には、ユニット伝送部１１０、接客部１２０、記憶部１４０、ＩＤ検索部１５０、及び通信制御部１６０などが接続されている。
【００１５】
ユニット伝送部１１０には、カード発行ユニット１１１、カード処理ユニット１１２、紙幣処理ユニット１１３、及び硬貨処理ユニット１１４などが接続されている。接客部１２０には、上記説明したＬＣＤ表示部１２１及びタッチパネル部１２２などが接続されている。通信制御部１６０は、図１に示すサーバ３と交信し、各種情報を受け渡しする。記憶部１４０は、通信制御部１６０を介して受信した各種情報を記憶する。ＩＤ検索部１５０は、記憶部１４０に記憶された所定のＩＤを検索する。ＩＤ検索は、伝言情報の表示等に関係し、後に詳しく説明する。
【００１６】
カード発行ユニット１１１は、タッチパネル部１２２を介して入力される個人情報に基づき、所定の代金投入と引き換えに、乗車券媒体として利用可能なＩＣカード４を発行する。個人情報とは、例えば、氏名、電話番号、住所などの情報である。カード発行ユニット１１１により発行されるＩＣカード４には、ＩＤコードが記憶されている。このＩＣカード４は、定期券としての機能を有するカードであってもよいし、所定の金額情報がチャージされたストアードフェア（ＳＦ）機能を有するカードであってもよいし、また両機能を有するカードであってもよい。また、このＩＣカード４は、例えば無線通信可能なＩＣカードであってもよい。図１に示すように、ＩＣカード発行装置１は、入力された個人情報、及びこの個人情報の入力に対応して発行されたＩＣカードに記憶されているＩＤコードをサーバ３に送信する。これに対応して、サーバ３は、ＩＤコード及び個人情報を対応付けて管理する。
【００１７】
カード処理ユニット１１２は、カード取り扱い口１０４を介して投入されたＩＣカード４と交信し（又は所定位置にかざされたＩＣカード４と交信し）、ＩＣカード４に記録された情報を読み取ったり、ＩＣカード４に対して情報を記録したりする。例えば、カード処理ユニット１１２は、カード取り扱い口１０４を介して投入されたＩＣカード４に対して、利用者により投入されるチャージ金額に応じた金額情報をチャージする。
【００１８】
図４は端末機器２の一例である自動改札装置の外観を示す斜視図であり、図５は自動改札装置の概略構成を示すブロック図である。この自動改札装置２は、通常、２台１組として設置され、両者の間に通行者が通行する通路が形成される。そして、この自動改札装置２は、例えば磁気券及びＩＣカードの両方を処理できる。
【００１９】
図４に示すように、自動改札装置２の上面の一端部には、たとえば、有効期間や利用可能区間などの改札情報が磁気エンコード記録された乗車券（定期券、普通乗車券、回数券など）やＳＦカードなどの磁気券を受け取る投入口２０１が設けられている。他端部には、投入口２０１から投入された磁気券を返却する排出口２０２が設けられている。排出口２０２の前方には、通行者や駅員などに対して各種案内を行なうための案内表示部２０３が設けられている。この案内表示部２０３は、伝言出力手段の一つであり、ＩＣカード４の利用に応じて、伝言情報の有無に関する情報及び伝言情報の内容のうちの少なくとも一方を表示する。伝言情報の扱いについては、後に詳しく説明する。
【００２０】
投入口２０１の前方には、無線通信部２０４が設けられている。無線通信部２０４は、たとえば、ループ状アンテナなどで構成されており、入出場客によりかざされるＩＣカード４と無線通信を行なう。これにより、無線通信部２０４は、ＩＣカード４から送信されるデータを受信（読取）したり、ＩＣカード４に対してデータを送信（書込）したりする。
【００２１】
自動改札装置２の側面の両端部には、通行者の通行を制御する開閉動作可能なドア２０５が設けられており、通行可否の判定結果に基づき、このドア２０５が開閉制御される。さらに、自動改札装置２には、センサ取付体２０６が立設されている。センサ取付体２０６には、通行者を検知する複数の光学的なセンサが設けられている。さらに、センサ取付体２０６には、自動改札装置の動作状態（小児券の投入、無効券の投入や機器の異常など）を表示する表示灯２０７が設けられている。この表示灯２０７は、例えば上記した案内表示部２０３による伝言表示に対応して、伝言が表示されていることを利用者に知らせる表示灯であってもよい。
【００２２】
図５に示すように、自動改札装置２は、主制御部２００、記憶部２１１、乗車券処理部２１２、改札判定部２１３、通行検知部２１４、開閉制御部２１５、表示制御部２１６、表示灯駆動制御部２１７、精算処理部２１８、ＩＤ検索部２１９、通信制御部２２０などを備えている。
【００２３】
主制御部２００は、各部を制御し、改札処理に関する一連の動作を制御する。記憶部２１１は、改札判定及び精算処理に必要な運賃情報を記憶したり、ＩＣカード４又は磁気券から読み取った乗車情報等を一時記憶したりする。さらに、記憶部２１１は、通信制御部２２０を介してサーバから送信されるＩＤコードを記憶する。
【００２４】
乗車券処理部２１２は、投入口２０３を介して受け取られた磁気券を搬送したり、磁気券から乗車情報を読み取ったり、磁気券に対して必要な情報を書き込んだり、磁気券を回収したり又は返却したりする。改札判定部２１３は、磁気券又はＩＣカード４から読み取られた情報に基づき通行の可否を判定する。
【００２５】
通行検知部２１４は、自動改札装置２の所定の位置に設置された検知器からの検知出力を受け取り、利用者の通行状況を検知する。開閉制御部２１５は、改札判定結果に基づき、ドア２０５の開閉を制御する。表示制御部２１６は、例えば改札判定結果に基づき表示部２０３の表示内容を制御する。さらに、表示制御部２１６は、伝言情報の有無に関する情報の出力要請を受けたときは、伝言情報の有無に関する情報を表示部２０３に表示させる。また、表示制御部２１６は、伝言情報の内容の出力要請を受けたときは、伝言情報の内容を表示部２０３に表示させる。伝言情報の扱いについては、後に詳しく説明する。表示灯駆動制御部２１７は、磁気券又はＩＣカード４から読み取った情報に基づき表示灯２１４の駆動を制御する。例えば、小児券の投入、無効券の投入、機器の異常などの動作状態に応じて表示灯２１４の駆動を制御する。さらに、表示灯駆動制御部２１７は、表示部２０３への伝言情報の有無に関する情報又は伝言情報の内容の表示に対応して、伝言があることを通行者に通知するために表示灯２１４の駆動を制御する。精算処理部２１８は、必要に応じてＩＣカード４から読み取られる金額情報に基づき精算処理を行なう。ＩＤ検索部２１９は、ＩＣカード４から読み取ったＩＤコードに該当するＩＤコードを記憶部２１１から検索する。通信制御部２２０は、図１に示すサーバ３と交信し、各種情報を交換する。
【００２６】
図６は、サーバ３の概略構成を示すブロック図である。図６に示すように、サーバ３は、主制御部３００、通信制御部３０２、記憶部３０３、ＩＤ検索部３０４、伝言登録処理部３０５、伝言配信処理部３０６を備えている。
【００２７】
次に、上記説明した伝言配信システムによる伝言サービスについて説明する。図７は、伝言配信処理の概要を示す図である。この発明の伝言配信システムは、ＩＣカード４の利用に対応して、伝言を配信するものである。
【００２８】
ＩＣカード４は、上記説明したようにＩＣカード発行装置１により発行される。ＩＣカード発行装置１の表示部１０２には、例えば初期メニュー画面が表示されている。発行を希望する利用者は、タッチパネル部１２２を介して、初期メニュー画面からカードの発行を指示する（ＳＴ１０１、ＹＥＳ）。この指示に対応して、表示部１０２には、例えば個人情報入力画面が表示される。利用者は、タッチパネル部１２２を介して、個人情報入力画面に対して個人情報を入力する（ＳＴ１０２）。即ち、氏名、電話番号、住所などを入力する。さらに、利用者は必要に応じて所定の代金を投入すると（ＳＴ１０２）、代金投入と引き換えに、乗車券媒体として利用可能なＩＣカード４が発行される（ＳＴ１０３）。これに対応して、ＩＣカード発行装置１は、通信制御部１６０を介して、個人情報及びこの個人情報の入力に対応して発行されたＩＣカードに記憶されているＩＤコードをサーバ３に対して送信する（ＳＴ１０４）。サーバ３は、通信制御部３０２を介して個人情報及びＩＤコードを受信し（ＳＴ２０１、ＹＥＳ）、記憶部３０３に登録する（ＳＴ２０２）。ここまでが、伝言サービスを受けるための前段処理である。
【００２９】
伝言サービスを利用して伝言を送信したい伝言サービス利用者（個人又は物品販売者）は、例えばインターネット等を経由して、パーソナルコンピュータや携帯電話などの端末によりサーバ３に接続し、伝言サービスの利用を要求する。サーバ３は、外部端末からの伝言サービスの利用要求を受けると（ＳＴ２０３、ＹＥＳ）、外部端末に対して個人情報の入力を要求する。これに対応して、伝言サービス利用者は、端末を介して個人情報を入力する。サーバ３は入力された個人情報を受信し（ＳＴ２０４）、サーバ３のＩＤ検索部３０４は受信した個人情報に基づき記憶部３０３に記憶されているＩＤコードを検索する（ＳＴ２０５）。受信した個人情報に対応するＩＤコードが見つからなければ、伝言サービスの利用はできない。受信した個人情報に対応するＩＤコードが見つかれば、サーバ３は外部端末に対して伝言の内容を要求する。これに対応して、伝言サービス利用者は、端末を介して伝言を入力する。例えば、「至急○×へ戻れ」、「物品を受け取り下さい」などの伝言を入力する。サーバ３は入力された伝言を受信し（ＳＴ２０６）、サーバ３の伝言登録処理部３０５は受信した伝言とＩＤコードとを対応付けて記憶部３０３に登録する（ＳＴ２０７）。さらにサーバ３の伝言配信処理部３０６は、例えば伝言が対応付けられたＩＤコードを各端末機器、即ちＩＣカード発行装置１、及び自動改札装置３に配信する（ＳＴ２０８）。このとき、伝言配信処理部３０６は、例えば、自動改札装置３には伝言が対応付けられたＩＤコードだけを配信し、ＩＣカード発行装置１には伝言が対応付けられたＩＣコードと、このＩＤコードに対応付けられた伝言の内容とを一体で配信する。つまり、自動改札装置３は、サーバ１から配信されるＩＤコード（伝言が対応付けられたＩＤコード）を受信し（ＳＴ３０１、ＹＥＳ）（ＳＴ３０２）、記憶部２１１にＩＤコード（伝言が対応付けられたＩＤコード）が記憶される。一方、ＩＣカード発行装置１は、サーバ１から配信されるＩＤコード（伝言が対応付けられたＩＤコード）とこのＩＤコードに対応付けられた伝言の内容とを一体で受信し（ＳＴ１０５、ＹＥＳ）（ＳＴ１０６）、記憶部１４０にＩＤコード（伝言が対応付けられたＩＤコード）とこのＩＤコードに対応付けられた伝言の内容とが一体で記憶される。システムが停止されるまで、サーバ３は上記処理を継続する（ＳＴ２０９）。
【００３０】
ＩＣカード４を利用するカード利用者は、このＩＣカード４を利用して、例えば自動改札装置２による改札処理を受けることができる。ＩＣカード４が自動改札装置２の無線通信部２０４にかがされると、無線通信部２０４がＩＣカード４と交信し（ＳＴ３０３、ＹＥＳ）、ＩＣカード４の情報を読み取る（ＳＴ３０４）。このとき、ＩＣカード４に記憶されているＩＤコード、及び乗車情報（入出場記録など）が読み取られ、ＩＤ検索部２１９はこの読み取られたＩＤコードに該当するＩＤコードを記憶部２１１から検索する（ＳＴ３０５）。ＩＤ検索部２１９の検索により該当するＩＤコードが見つかれば、つまりＩＤ検索部２１９がこのＩＤコードに対応付けられた伝言情報が有ると判断すると、例えば、表示部２０３は「伝言あり」などの呼びかけ情報を表示し（ＳＴ３０７）、表示灯２１４が点灯する。このケースでは、記憶部２１１には、伝言が対応付けられたＩＤコードが記憶されているにすぎず、伝言自体は記憶されていない。そこで、「伝言あり」などの呼びかけ情報だけが表示される。しかしながら、この発明はこれだけに限定されるものではなく、例えばサーバ３が自動改札装置２に対して、伝言が対応付けられたＩＣコードとこのＩＤコードに対応付けられた伝言の内容とを一体で配信するようにして、記憶部２１１にこの一体の情報を持たせるようにすれば、表示部２０３に伝言自体を表示させることもできる。或いは、物品の受け取りだけを想定すれば、記憶部２１１がＩＤコードを記憶するだけで、表示部２０３に「受取物品あり」などの呼びかけ情報を表示させることもできる（ＳＴ３０７）。システムが停止されるまで、自動改札装置２は上記処理を継続する（ＳＴ３０８）。
【００３１】
「伝言あり」の呼びかけ情報を受けたカード利用者は、このＩＣカード４を利用して、例えばＩＣカード発行装置１により伝言の内容を知ることができる。ＩＣカード４がＩＣカード発行装置１のカード取り扱い口１０４に投入されると（又は所定位置にかざされると）、カード処理ユニット１１２はＩＣカード４と交信し（ＳＴ１０７、ＹＥＳ）、ＩＣカード４の情報を読み取る（ＳＴ１０８）。このとき、ＩＣカード４に記憶されているＩＤコードが読み取られ、ＩＤ検索部１５０はこの読み取られたＩＤコードに該当するＩＤコードを記憶部１４０から検索する（ＳＴ１０９）。ＩＤ検索部１５０により該当するＩＤコードが見つかれば（ＳＴ１１０、ＹＥＳ）、つまりＩＤ検索部１５０がこのＩＤコードに対応付けられた伝言情報有りを判断すると、表示部１０２はこのＩＤコードに対応付けられている伝言の内容を表示する（ＳＴ１１１）。伝言の内容が表示されると、ＩＣカード発行装置１は、例えば伝言情報を消去し、次回から同じＩＤコードを読み取っても伝言を表示しないようにする。さらにＩＣカード発行装置１はサーバ３に対してＩＤコード及び伝言表示完了を通知し、サーバ３は自動改札装置２に登録されている該当ＩＤコードを消去させる。これにより、カード利用者が伝言の内容を確認した後は、自動改札装置２において「伝言あり」や「受取物品あり」の呼びかけ情報も表示されなくなる。システムが停止されるまで、ＩＣカード発行装置１は上記処理を継続する（ＳＴ１１２）。
【００３２】
例えば、ＩＣカード発行装置１の近傍に、ＩＣカード発行装置１からの制御に基づき開錠可能なロッカーを配置し、ＩＣカード４により物品を受け取れるようにすることもできる。つまり、ＩＣカード４から読み取られたＩＤコードに基づき、物品が届いていることが判明した場合、ロッカーを開錠し、ＩＣカード４の利用者が荷物を受け取れるようにする。
【００３３】
また、サーバ３が、「伝言あり」「受取物品あり」等の呼びかけ情報の表示回数を管理するようにしてもよい。これにより、例えば、これら呼びかけ情報の有効期限及び一日の表示回数を制限することもできる。
【００３４】
以上説明したように、この発明の伝言配信システムによれば、ＩＣカード利用者に対して伝言を送信しておけば、ＩＣカード利用者はＩＣカードを利用したタイミングで「伝言あり」や「受取物品あり」などの呼びかけ情報を受信することができる。さらに、呼びかけ情報を通知されたＩＣカード利用者は、ＩＣカードを利用して伝言の内容を知ることができる。或いは、ＩＣカードを利用して物品を受け取ることができる。
【００３５】
この伝言配信システムは、携帯電話を利用していないため、携帯電話を所持していない者や携帯電話を携帯し忘れた者であっても利用することが可能である。さらに、携帯電話の電波が届かないエリアであっても、利用することが可能である。また、ＩＣカードの利用の度に、呼びかけ情報が表示されるので、伝言内容の確認を忘れている者やや荷物の受取を忘れている者に対するサービス向上を図ることができる。一般的に利用頻度の高い乗車券媒体としてのＩＣカードを利用することにより、高い確率で伝言を通知することができる。
【００３６】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００３７】
【発明の効果】
この発明によれば、ＩＣカードを利用し伝言を通知することが可能な伝言配信システムを提供できる。
【図面の簡単な説明】
【図１】この発明の伝言配信システムの概念を示す図である。
【図２】端末機器の一例であるＩＣカード発行装置の外観を示す斜視図である。
【図３】ＩＣカード発行装置の概略構成を示すブロック図である。
【図４】端末機器の一例である自動改札装置の外観を示す斜視図である。
【図５】自動改札装置の概略構成を示すブロック図である。
【図６】サーバの概略構成を示すブロック図である。
【図７】伝言配信処理の概要を示すフローチャートである。
【符号の説明】
１…端末（ＩＣカード発行装置）、２…端末（自動改札装置）、３…サーバ、４…ＩＣカード、１０２…表示部、１４０…記憶部、１５０…ＩＤ検索部、１６０…通信制御部、２１１…記憶部、２１６…表示制御部、２１９…ＩＤ検索部、２２０…通信制御部、３０２…通信制御部、３０３…記憶部、３０４…ＩＤ検索部、３０５…伝言登録処理部、３０６…伝言配信処理部
【図１】
2004364032.tif 000003
【図２】
2004364032.tif 000004
【図３】
2004364032.tif 000005
【図４】
2004364032.tif 000006
【図５】
2004364032.tif 000007
【図６】
2004364032.tif 000008
【図７】
2004364032.tif 000009